(57)【要約】      （修正有）【課題】蛇腹管の防水性、固定性を高め、スムーズに組立、取外しをする蛇腹管の防水迅速継手を提供する。【解決手段】蛇腹管の防水迅速継手は、固定物品を固定した継手本体２０と、蛇腹管５０を締める圧着部品４０から構成される。継手本体と圧着部品間に防水固定ユニット３０を設置する。この防水固定ユニットは、軟質防水筒と抜止係合環から構成される。そのうち、軟質防水筒３１の端部に抜止係合環３５に嵌合する凹受部３２が成形され、且つ内縁には傾斜面３３が成形され、切欠部３８を有する抜止係合環は内縁に蛇腹管を止める弾性係合片３６が複数成形される。上述の構造により、圧着部品が継手本体に相対して止まった時、抜止係合環と軟質防水筒を押し、抜止係合環の弾性係合片が蛇腹管の凹部内で止まり、強い力で蛇腹管の表面を締め、更に、軟質防水筒が蛇腹管表面を覆う。軟質防水筒は変形して押すため、防水作用を具える。【選択図】図１
0003122351.tif 000002
【実用新案登録請求の範囲】
【請求項１】
継手本体、防水固定ユニット及び圧着部品を含む蛇腹管の防水迅速継手において、
両端に各々突出した第一接合部と第二接合部が伸びる継手本体と、
軟質防水筒と抜止係合環から構成され、軟質防水筒の一端には抜止係合環を嵌合する凹受
部が成形され、且つ軟質防水筒の内面には継手本体の一端に向かって締める傾斜面が成形
され、別に抜止係合環の内周縁には蛇腹管を締める弾性係合片が配列して成形され、更に
抜止係合環周辺縁には軸向きに貫設した切欠部が成形されている防水固定ユニットと、
蛇腹管を差し込む嵌合口を具え、継手本体の第二接合部にネジ止めし、内縁は嵌合口に近
い箇所に押圧面を成形し、その押圧面は防水固定ユニットの抜止係合環を押して端面が対
応する圧着部品から構成され、
これらによって、防水性、固定性がよいことを特徴とする蛇腹管の防水迅速継手。
【請求項２】
前記継手本体の第一、第二接合部は、外周縁に外ネジ溝を具え、第一、第二接合部間には
停止環が成形され、第一接合部が固定物品と共に継手本体を固定物品上に固定し、且つ圧
着部品内縁には第二接合部の内ネジ溝が成形されて、そこで圧着部品が締まることを特徴
とする請求項１記載の蛇腹管の防水迅速継手。
【請求項３】
前記継手本体は、内部中段に突出した凸停止縁があり、防水固定ユニットを突き合わせる
ことを特徴とする請求項１又は２記載の蛇腹管の防水迅速継手。
【請求項４】
前記防水固定ユニットの軟質防水筒は、材質がゴムで、抜止係合環の材質はナイロンであ
ることを特徴とする請求項１記載の蛇腹管の防水迅速継手。
【請求項５】
前記軟質防水筒の傾斜面は、継手本体に近い一端に中心に向かって突出する口唇縁を成形
し、蛇腹管を入れる長さを制限することを特徴とする請求項１記載の蛇腹管の防水迅速継
手。
【請求項６】
前記軟質防水筒は、抜止係合環に対応する端縁に切欠角を成形し、その切欠角は抜止係合
環の弾性係合片に対応することを特徴とする請求項１記載の蛇腹管の防水迅速継手。
【請求項７】
前記抜止係合環の弾性係合片は、自由端縁にそれぞれ中心に向かって傾斜面を具えた係合
縁が成形され、その係合縁が蛇腹管に対応することを特徴とする請求項１又は６記載の蛇
腹管の防水迅速継手。
【請求項８】
前記抜止係合環の弾性係合片と、軟質防水筒の凹受部は、その間に一定の隙間が形成され
、その隙間が弾性係合片が動く空間となることを特徴とする請求項１記載の蛇腹管の防水
迅速継手。
【考案の詳細な説明】
【技術分野】
【０００１】
本考案は、ケーブル固定ヘッドの防水技術に関するもので、本考案では、同時に蛇腹管
を嵌合する特殊設計により、蛇腹管を有効に固定して外れにくく、更に防水、防虫、防蟻
及び防塵効果も具えるものである。
【背景技術】
【０００２】
ケーブルに水が浸み込んだり、虫や蟻及び埃等の異物が侵入したりすると、ショートし
てしまう。そのための防止策として、通常、ケーブル外面に保護管を被せる。動きやすさ
と伸縮性を高めるため、今日では、環状で凹凸形状の蛇腹管が主となっている。ケーブル
に固定物品を差し込む時、一般には防水継手で前述の蛇腹管を固定する。これは蛇腹管を
固定し、勝手に緩んだり、外れたりしてしまうのを防ぐ他に、防水、防虫、防蟻及び防塵
の効果を具える。下述に示す台湾の特許がある。
【０００３】
【特許文献１】台湾  特許第２９５３１７号「電線保護管と継手の結合構造」
【特許文献２】台湾  特許第５１１８１６号「電線保護管の継手改良」
【特許文献３】台湾  特許第４４９１６９号「電線保護管の迅速継手構造」
【０００４】
そのうち、第２９５３１７号を例にとると、継手の固定体を先ず保護管の外環面に嵌め
る。次に保護管末端において、限定部品を係合し、継手の本体と固定体を締め、限定部品
を締めると、結合して一体になる。限定部品は、中空の環状体で、その環状面の最上縁は
傾斜角で、環状面上には複数の可動限定片が形成されている。その限定片の内環状面の最
上縁には鈎が設置される。
【０００５】
また、外環状面の最上縁には傾斜凸部が成形され、保護管、限定部品、継手の三者によ
り、相互に締められ、その結合は確実で、密閉性も高く、防水、防油効果を得る。しかし
、限定部品は単純な鈎を保護管の凹部に係合しているだけで何ら締着作用を具えていない
。そのため、外から引っ張られた時、保護管が抜け落ちやすく、更に密封部品は環状体と
本体が接触しているだけなので、有効な防水、防虫、防蟻効果を具えない。そのため、湿
気により、もしくは蟻などに噛まれて壊れてしまうことがある。
【０００６】
第４４９１６９号は、外層が螺旋溝中空管の電線保護管、フラン管、雄係合部品から構
成される。このフラン管はフラン凸縁を具え、また円周上には複数個の貫通した鈎孔が設
置される。また雄係合部品は、フラン管の鈎孔位置に設置した隙間に対応し、その隙間は
内向きに傾斜した鈎ヘッドが対応する。この鈎ヘッド前端には「く」の字型の鈎角が成形
され、その鈎角が電線保護管の溝内に係合される。この前案は迅速着脱保護管であるが、
その本体は防水、防塵及び防虫、防蟻の効果を具えていないため、ケーブルを有効に保護
しない。
【０００７】
第５１１８１６は、主に継手及び保護管から構成される。この保護管は公知の部品で、
環状であり、最上部には複数の等間隔の凹溝が成形される。この特徴は、継手が一体成型
で、その一端には固定体が設置される。その上下端の対応箇所には各々押圧塊が設置され
、その押圧塊両側には枢設軸が設置される。その前端両側はそれぞれ下向き鈎状で、押圧
塊周辺縁箇所には透かし部が形成されている。この案件の押圧塊は別に枢設設置するため
、一体成型ではなく、組立しなければならず、更に加工がしにくく、更に不確実であるた
め、抜け落ちやすく、外からの力に対して有効に止まらない。更に防水効果を具えていな
い。
【考案の開示】
【考案が解決しようとする課題】
【０００８】
解決しようとする問題点は、設計上問題があり、しっかりと締まらなかったり、防水性
に問題があったり、更に着脱も不便である点である。
【課題を解決するための手段】
【０００９】
本考案は、固定物品を固定した継手本体と、蛇腹管を締める圧着部品から構成される。
本考案の特色は、継手本体と圧着部品間に防水固定ユニットを設置する。この防水固定ユ
ニットは、軟質防水筒と抜止係合環から構成される。そのうち、軟質防水筒の端部に抜止
係合環に嵌合する凹受部が成形され、且つ内縁には傾斜面が成形され、切欠部を持つ抜止
係合環は内縁に蛇腹管を止める弾性係合片が複数成形される。
【００１０】
すなわち、本考案は、下記のとおりである。
（１）継手本体、防水固定ユニット及び圧着部品を含む蛇腹管の防水迅速継手において、
両端に各々突出した第一接合部と第二接合部が伸びる継手本体と、
軟質防水筒と抜止係合環から構成され、軟質防水筒の一端には抜止係合環を嵌合する凹受
部が成形され、且つ軟質防水筒の内面には継手本体の一端に向かって締める傾斜面が成形
され、別に抜止係合環の内周縁には蛇腹管を締める弾性係合片が配列して成形され、更に
抜止係合環周辺縁には軸向きに貫設した切欠部が成形されている防水固定ユニットと、
蛇腹管を差し込む嵌合口を具え、継手本体の第二接合部にネジ止めし、内縁は嵌合口に近
い箇所に押圧面を成形し、その押圧面は防水固定ユニットの抜止係合環を押して端面が対
応する圧着部品から構成され、
これらによって、防水性、固定性がよいことを特徴とする蛇腹管の防水迅速継手。
【００１１】
（２）前記継手本体の第一、第二接合部は、外周縁に外ネジ溝を具え、第一、第二接合部
間には停止環が成形され、第一接合部が固定物品と共に継手本体を固定物品上に固定し、
且つ圧着部品内縁には第二接合部の内ネジ溝が成形されて、そこで圧着部品が締まること
を特徴とする上記（１）の蛇腹管の防水迅速継手。
【００１２】
（３）前記継手本体は、内部中段に突出した凸停止縁があり、防水固定ユニットを突き合
わせることを特徴とする上記（１）又は（２）の蛇腹管の防水迅速継手。
【００１３】
（４）前記防水固定ユニットの軟質防水筒は、材質がゴムで、抜止係合環の材質はナイロ
ンであることを特徴とする上記（１）の蛇腹管の防水迅速継手。
【００１４】
（５）前記軟質防水筒の傾斜面は、継手本体に近い一端に中心に向かって突出する口唇縁
を成形し、蛇腹管を入れる長さを制限することを特徴とする上記（１）の蛇腹管の防水迅
速継手。
【００１５】
（６）前記軟質防水筒は、抜止係合環に対応する端縁に切欠角を成形し、その切欠角は抜
止係合環の弾性係合片に対応することを特徴とする上記（１）の蛇腹管の防水迅速継手。
【００１６】
（７）前記抜止係合環の弾性係合片は、自由端縁にそれぞれ中心に向かって傾斜面を具え
た係合縁が成形され、その係合縁が蛇腹管に対応することを特徴とする上記（１）又は（
６）の蛇腹管の防水迅速継手。
【００１７】
（８）前記抜止係合環の弾性係合片と、軟質防水筒の凹受部は、その間に一定の隙間が形
成され、その隙間が弾性係合片が動く空間となることを特徴とする上記（１）の蛇腹管の
防水迅速継手。
【００１８】
上述の構造により、圧着部品が継手本体に相対して止まった時、抜止係合環と軟質防水
筒を押し、抜止係合環の弾性係合片が蛇腹管の凹部内で止まり、強い力で蛇腹管の表面を
締め、更に軟質防水筒が蛇腹管表面を覆う。軟質防水筒は変形して押すため、防水作用を
具えることを最も主要な特徴とする。
【考案の効果】
【００１９】
本考案の蛇腹管の防水迅速継手は、下述の利点がある。
固定性が良い：本考案の蛇腹管の防水迅速継手の防水固定ユニットは、軟質防水筒と抜止
係合環から構成される。圧着部品を締めた時、抜止係合環を圧迫して蛇腹管を締め、同時
に軟質防水筒が変形して蛇腹管を締め、二重に締める作用を具え、固定力を大幅に高め、
蛇腹管が外力によって脱落するのを防止する。
防水性が良い：本考案の軟質防水筒は、蛇腹管の外縁で変形して締め付ける。これは、面
に接触する方式であるため、密封面積を大幅に高め、現在の防水機能を具えないものや、
線で接触して防水する方式と比較して、正真正銘の防水、防虫、防蟻、防塵効果を具える
。
着脱が簡単：圧着部品を緩めると、軟質防水筒は、その弾力によって自然に蛇腹管を緩め
る。抜止係合環はその切欠部により、使用者の手によってスムーズに抜止係合環と蛇腹管
を分離させ、蛇腹管を締めたり、緩めたりするのを簡易にする効果がある。
【００２０】
一実施例を挙げた説明は、本考案に如何なる形式上の制限を設けるものではなく、本考
案の精神に基づき、如何なる改変もすべて本考案の保護範囲とする。
【考案を実施するための最良の形態】
【００２１】
本考案は、蛇腹管の防水迅速継手を提供することにより、外からの引く力に依る脱落を
防止し、同時に防水作用を具える。
【００２２】
本考案は、蛇腹管の防水迅速継手構造であり、図１に示すとおり、この防水迅速継手は
、継手本体２０、防水固定ユニット３０及び圧着部品４０を含み、蛇腹管５０を固定部品
６０上に連接固定し、防水、防虫、防蟻、防塵効果を達成する。
【００２３】
本考案の詳細な構成は、図１，２，３及び４に示し、中空の継手本体２０の中段には多
角形状の停止環２１を具え（図１、４、図５参照）、そこに固定物品６０の表面を当てる
。更に、停止環２１の両側には、それぞれ外ネジ溝を具えた第一接合部２２と第二接合部
２３が凸設される。そのうち、第一接合部２２は、固定物品６０の後に多角形状の固定ネ
ジ部品２５を設置し、継手本体２０を固定物品６０上に固定する。継手本体２０の内部中
段には一筋の凸停止縁２４が凸設され、そこに防水固定ユニット３０が突き合わされる（
図４参照）。
【００２４】
前述の防水固定ユニット３０は、ゴム製の軟質防水筒３１及びナイロン製の抜止係合環
３５から構成される。そのうち、環状の軟質防水筒３１は継手本体２０の反対側端部に凹
んだ凹受部３２が形成され、且つ軟質防水筒３１内面には継手本体２０の一端方向へ締め
付ける傾斜面３３が成形されている（図２参照）。
【００２５】
この傾斜面３３の最小径は、蛇腹管５０の外径より小さく、更に軟質防水筒３１の傾斜
面３３は、継手本体２０に近い一端に中心に向かって突出する一条の口唇縁３４が形成さ
れ、蛇腹管５０の差込みの長さを制限する（図５参照）。
【００２６】
また、軟質防水筒３１の口唇縁３４と異なる端縁には、傾斜した切欠角３３０が形成さ
れている。また抜止係合環３５は内周辺縁に配列して切欠角３３０に対応する弾性係合片
３６が成形され、且つ各弾性係合片３６の自由端縁には各々中心に向かって斜面の係合縁
３７が成形されている。この係合縁３７は、蛇腹管５０の凸環５１間の凹部５２に対応し
て嵌合し、係合作用が形成される。抜止係合環３５の弾性係合片３６と軟質防水筒３１の
凹受部３２の間には一定の隙間３９が形成され、弾性係合片３６が動く空間となる。更に
抜止係合環３５の周辺縁には軸方向に貫設した切欠部３８を成形する（図３参照）ことで
、使用者は蛇腹管５０上の抜止係合環３５が開きやすくなる。
【００２７】
更に、環状の圧着部品４０は蛇腹管５０を差し込むための嵌合口４１を具え、圧着部品
４０の内縁には継手本体２０の第二接合部２３と対応してネジ止めされる内ネジ溝４２が
成形される。更に、この圧着部品４０の内縁には嵌合口４１の箇所に押圧面４３が形成さ
れ、この押圧面４３が防水固定ユニット３０の抜止係合環３５を押して抜止係合環３５と
軟質防水筒３１の端面が対応する。これによって、構成は防水性が良くなり、且つ固定性
の良い蛇腹管の防水迅速継手となる。
【００２８】
本考案を実際に使用する時、図１から図５に示すとおり、先ず継手本体２０の第一接合
部２２に固定物品６０を嵌め、固定ネジ部品２５と停止環２１で固定物品６０を挟む。続
いて、防水固定ユニット３０の軟質防水筒３１を継手本体２０に設置して第二接合部２３
の端部の内部に相対させる。また、抜止係合環３５を軟質防水筒３１の凹受部３２に嵌合
し、蛇腹管５０を圧着部品４０の嵌合口４１に差し込んだ後、抜止係合環３５と軟質防水
筒３１内に差し入れ、最後に圧着部品４０を継手本体２０の第二接合部２３上で締める。
【００２９】
このようにして、圧着部品４０を締める時、押圧面４３が抜止係合環３５を押し、抜止
係合環３５は圧着部品４０の締着と押圧を受けてしっかりと締まる。この抜止係合環３５
の弾性係合片３６が軟質防水筒３１の切欠角３３０に接触した時（図５参照）、弾性係合
片２６の係合縁３７が押したり引いたりすることにより、蛇腹管５０の凹部５２を係合し
て対応し、蛇腹管５０をしっかりと掴む。
【００３０】
更に、圧着部品４０を締めた時、軟質防水筒３１が押されて変形し、蛇腹管５０の外縁
を完全に覆う。本考案は、一端において、蛇腹管５０の凹部５２によって、軟質防水筒３
１内の抜止係合環３５の弾性係合片３６の係合縁３７でしっかりと止めて固定し、完全に
防水し、蛇腹管５０及びその凹部５２は、軟質防水筒３１の延長により、外表面で覆う。
この設計によって、この防水性能は完全で、本考案は完全な防水、防虫、防蟻、防塵を具
える。
【００３１】
取り外す時、圧着部品４０を緩めるだけで、軟質防水筒３１は自然に蛇腹管５０を緩め
、同時に抜止係合環３５の弾性係合片３６は背面の隙間３９を利用して自然に蛇腹管５０
を緩める。そして使用者は切欠部３８を使って、蛇腹管５０を簡単に取り外す。
【図面の簡単な説明】
【００３２】
【図１】本考案の立体分解指示図で、本考案各部品の構成及び成り立ちを示す。
【図２】本考案の防水ユニット断面指示図で、防水ユニットの構成及びその対応関係を示す。
【図３】本考案の防水固定ユニットの抜止係合環の俯瞰平面指示図である。
【図４】本考案の断面指示図で、防水固定ユニットを継手本体に設置した内部状態を示す。
【図５】本考案の実際の使用断面指示図で、運用する時の様子及びその相関位置を示す。
【符号の説明】
【００３３】
１０        防水迅速継手
２０        継手本体
２１        停止環
２２        第一接合部
２３        第二接合部
２４        凸停止縁
２５        固定ネジ部品
３０        防水固定ユニット
３１        軟質防水筒
３２        凹受部
３３        傾斜面
３３０        切欠角
３４        口唇縁
３５        抜止係合環
３６        弾性係合片
３７        係合縁
３８        切欠部
３９        隙間
４０        圧着部品
４１        嵌合口
４２        内ネジ溝
４３        押圧面
５０        蛇腹管
５１        凸環
５２        凹部
６０        固定物品
【図１】
0003122351.tif 000003
【図２】
0003122351.tif 000004
【図３】
0003122351.tif 000005
【図４】
0003122351.tif 000006
【図５】
0003122351.tif 000007